(57)【特許請求の範囲】
【請求項１】
基板の表面に化粧シートが貼着された方形の平面形状を有する底板の三辺に、底板から立ち上がる枠材を取付け、底板のコーナー部において枠材同士をコーナー部材により連結すると共に、底板の残りの一辺に縁材を取付けた玄関パンであって、
上記枠材の下部の片面には、底板の端縁を支える支持片と、底板の端縁を覆う被覆片が一体形成され、この支持片と被覆片の間に底板の端縁が挿入されて、支持片のビス挿通孔からねじ込まれたビスで固定されており、
上記コーナー部材は、枠材と同じ高さを有する直角に折れ曲がった壁板部と、この壁板部の両端に一体形成された枠材接続部と、これら壁板部および枠材接続部の内側に一体形成された、底板のコーナー部および枠材の被覆片端部を覆う被覆片とを備えた合成樹脂成形品であって、壁板部の下部のビス挿通孔からねじ込まれたビスで底板のコーナー部に固定されていることを特徴とする玄関パン。
【請求項２】
化粧シートが、その表面に防滑用の凸部を無数に形成した合成樹脂製のシートである請求項１に記載の玄関パン。
【請求項３】
化粧シートの表面に、縦横に交差する溝部が形成されている請求項１又は請求項２に記載の玄関パン。
【請求項４】
底板の端縁と枠材との隙間にコーキング材が充填されている請求項１に記載の玄関パン。
【発明の詳細な説明】
【０００１】
【発明の属する技術分野】
本発明は、集合住宅の玄関に敷設して施工される玄関パンに関する。
【０００２】
【従来の技術】
従来より、アパート等の集合住宅の玄関は、個々の玄関の寸法や形状に対応してモルタル仕上げを行ったり、あるいは、合成樹脂で一体成形された規格サイズの玄関パンを敷設することによって施工されている。
【０００３】
【発明が解決しようとする課題】
しかしながら、モルタル仕上げをする場合は、職人の技量によって仕上がりの程度が左右されるという問題があった。
【０００４】
一方、合成樹脂で一体成形した玄関パンを敷設する場合は、職人の技量によって仕上がりの程度が左右されないという利点を有する反面、寸法や形状が異なる規格外の玄関に対応することができず、対応させるためには新たな金型を用いて特注サイズの玄関パンを製造しなければならないためコスト高になるという問題があった。また、合成樹脂製の玄関パンは滑りやすく、見た目に安っぽい印象を受け、固定用のビスの頭が露出するため外観もあまり良くないという問題があった。
【０００５】
本発明は上記の問題に対処すべくなされたもので、その目的とするところは、職人の技量に左右されることなく簡単に施工でき、寸法的な自由度があるため寸法等が異なる個々の玄関への対応が容易であり、滑って転倒する危険性がなく、外観が良好で安っぽい印象を受けることもない玄関パンを提供することにある。
【０００６】
【課題を解決するための手段】
上記の目的を達成するため、本発明の請求項１に係る玄関パンは、基板の表面に化粧シートが貼着された方形の平面形状を有する底板の三辺に、底板から立ち上がる枠材を取付け、底板のコーナー部において枠材同士をコーナー部材により連結すると共に、底板の残りの一辺に縁材を取付けた玄関パンであって、上記枠材の下部の片面には、底板の端縁を支える支持片と、底板の端縁を覆う被覆片が一体形成され、この支持片と被覆片の間に底板の端縁が挿入されて、支持片のビス挿通孔からねじ込まれたビスで固定されており、上記コーナー部材は、枠材と同じ高さを有する直角に折れ曲がった壁板部と、この壁板部の両端に一体形成された枠材接続部と、これら壁板部および枠材接続部の内側に一体形成された、底板のコーナー部および枠材の被覆片端部を覆う被覆片とを備えた合成樹脂成形品であって、壁板部の下部のビス挿通孔からねじ込まれたビスで底板のコーナー部に固定されていることを特徴とするものである。
【０００７】
このような組立式の玄関パンは、底板の縦横寸法、枠材や縁材の長さ寸法を変更することによって、間口や奥行きが種々異なる玄関に対応可能な大きさに組立てることができる。しかも、組立作業が簡単であるから、熟練した職人でなくても容易に施工することが可能であり、職人の技量によって仕上がりの程度が左右される心配もない。そして、基板表面に化粧シートが貼着された底板を使用するため、外観が良好で見た目に美しく、安っぽい印象を与えることもない。更に、枠材の支持片と被覆片との間に底板の端縁を挿入してビスで固定することにより、枠材を底板の端縁に簡単かつ確実に取付けることができ、また、底板のコーナー部においてコーナー部材両端の枠材接続部に枠材の端部を接続してビスでコーナー部材を底板に固定することにより、コーナー部材の取付けと枠材同士の連結を簡単かつ確実に行うこともできるので、組立、施工性が良好である。そして、底板の端縁は枠材の被覆片によって端仕舞され、支持片のビス挿通孔からねじ込まれたビスが外部から見えることがなく、また、底板のコーナー部もコーナー部材の被覆片によって被覆され、上方から見た場合にはビスも見えないので、施工仕上がりの程度が良好である。
【０００８】
次に、本発明の請求項２に係る玄関パンは、上記請求項１の玄関パンにおいて、その化粧シートが表面に防滑用の凸部を無数に形成した合成樹脂製のシートであることを特徴とするものである。
【０００９】
このような玄関パンは、合成樹脂製の化粧シート表面の防滑用凸部によって滑止め作用が発揮されるため、滑って転倒する危険性が大幅に減少する。
【００１０】
次に、本発明の請求項３に係る玄関パンは、上記請求項１又は２の玄関パンにおいて、その化粧シートの表面に、縦横に交差する溝部が形成されていることを特徴とするものである。
【００１１】
このような玄関パンは、化粧シートの表面に水がこぼれた場合でも、排水溝の役目をする溝部に流れ込んで化粧シートの表面に溜まらないため、滑止め効果が更に向上する。
【００１２】
次に、本発明の請求項４に係る玄関パンは、上記請求項１の玄関パンにおいて、その底板の端縁と枠材との隙間にコーキング材が充填されていることを特徴とするものである。
【００１３】
このような玄関パンは、コーキング材によって防漏性が向上するため、底板の化粧シート表面に水がこぼれた場合でも、底板と枠材との隙間から水が漏れ出すことはない。
【００１８】
【発明の実施の形態】
以下、図面を参照して本発明の具体的な実施形態を詳述する。
【００１９】
図１は本発明の一実施形態に係る玄関パンの平面図、図２は同玄関パンの拡大正面図、図３は図１のＡ−Ａ線拡大断面図、図４は図１のＢ−Ｂ線拡大断面図、図５は同玄関パンの分解斜視図、図６は同玄関パンの枠材の断面図、図７は同玄関パンのコーナー部材の平面図、図８は図７のＣ−Ｃ線断面図、図９は図７のＤ−Ｄ線断面図、図１０は同玄関パンの組立手順の説明図、図１１は同玄関パンの納まり図、図１２は図１１のＥ−Ｅ線断面図である。
【００２０】
この玄関パンは、図５に示すように、方形の平面形状を有する底板１と、この方形の三辺に取付けられる三つの枠材２と、底板１の二つのコーナー部において枠材２同士を連結する二つのコーナー部材３と、底板１の残りの一辺に取付けられる一つの縁材４と、底板１の裏面に敷かれる敷板５とからなる組立式の玄関パンである。
【００２１】
底板１は、木製合板等からなる基板１ａの表面に、ビニル系樹脂やオレフィン系樹脂等の比較的軟質の熱可塑性合成樹脂からなる化粧シート１ｂを接着剤で貼着一体化した体裁の良い複合板であって、図１，図５に示すように、化粧シート１ｂの表面には無数の小さな防滑用の凸部１ｃが形成されており、また、縦横に交差する複数の浅い溝部１ｄが形成されている。
【００２２】
この底板１の三辺に取付けられる枠材２は、ブラックアルマイト仕上げされたアルミニウムその他の金属製の型材からなるものであって、図６に示すように、真直ぐに立ち上がる壁板部２ａと、その下部の片面（内側面）から水平に突き出す支持片２ｂ及び被覆片２ｃとを備えた断面形状が逆「Ｆ」字形の枠材である。
【００２３】
図３に示すように、この枠材２の支持片２ｂは底板１の端縁を支えるものであり、被覆片２ｃは底板１の端縁を被覆して美しく端仕舞いをするものであって、これらの支持片２ｂ及び被覆片２ｃはいずれも枠材２（壁板部２ａ）の全長に亘って形成されている。また、この支持片２ｂには、図６に示すように、ビス挿通孔２ｄが間隔をあけて数箇所穿設されており、更に、支持片２ｂと被覆片２ｃとの間の壁板部２ａの内側面には、二本の水平な凸条２ｅが平行して形成されている。この凸条２ｅは、底板１の端縁が支持片２ｂと被覆片２ｃとの間に挿入されたときに底板１の端面を当止し、底板１の端面と枠材２の壁板部２ａとの間にコーキング材充填用の隙間を確保するものである。
【００２４】
上記の枠材２を連結するコーナー部材３は、ＡＢＳ樹脂等の硬質の合成樹脂を用いて射出成形された樹脂成形品であって、図５，図７〜図９に示すように、直角に折れ曲がった壁板部３ａと、この壁板部３ａの両端に一体形成された枠材接続部３ｂと、これら壁板部３ａ及び枠材接続部３ｂの内側へ突出して一体形成された平面形状が「Ｌ」字形の被覆片３ｃを具備している。この被覆片３ｃは、底板１のコーナー部を被覆して美しくコーナー処理するものである。
【００２５】
コーナー部材３の直角に折れ曲がった壁板部３ａは、上記枠材２の壁板部２ａと同じ高さを有するものであって、その下部の内側面には上記枠材２の凸条２ｅと同様の凸条３ｅが平行して二本形成されており、この二本の凸条３ｅの間を貫通するようにビス挿通孔３ｄが形成されている。
【００２６】
また、壁板部３ａの両端の枠材接続部３ｂは、板枠材２の壁板部２ａの厚み分だけ内側へ偏って被覆片３ｃよりも上側に形成されており、この枠材接続部３ｂの上端には、折返し状の係止耳部３ｆが形成されている。従って、後述するように、この枠材接続部３ｂを枠材２の端部の内側に重ねると共に、係止耳部３ｆを枠材端部の壁板部２ａ上端に係止させると、枠材２の壁板部２ａとコーナー部材３の直角の壁板部３ａとを同じ高さで、且つ、段差なく面一に接続できるようになっている。
【００２７】
底板１の残りの一辺に取付けられる縁材４は、アルミニウムその他の金属製のＬ型材からなるもので、その縦板部４ａには複数のビス挿通孔４ｃが間隔をあけて穿設されている。そして、この縁材４の水平板部４ｂの両端には切欠き４ｄが形成され、水平板部４ｂの両端が枠材２の被覆片２ｃと当たらないようにしている。
【００２８】
また、底板１の裏面に敷く敷板５は、底板１に大きい荷重が作用したときに底板１の撓みを防止するものであって、木製合板等が使用される。なお、この敷板５は、枠材２の支持片２ｂの厚みと実質的に同様の厚みを有し、且つ、縦横の寸法が少なくとも該支持片２ｂの突出寸法だけ小さいものであることは言うまでもない。
【００２９】
本発明の玄関パンは、上記の底板１、枠材２、コーナー部材３、縁材４、敷板５を次の要領で一体に組立てたものである。
【００３０】
まず、耐水性のウレタン系接着剤等を使用し、基板１ａの表面に化粧シート１ｂを貼着して底板１を作製する。そして、底板１の裏面に敷板５を貼着する。この敷板５は枠材２を取付けた後、底板１の裏面に貼着してもよい。
【００３１】
次いで、枠材２の支持片２ｂと被覆片２ｃとの間の壁板部２ａの内側面に、アルミシール用の変性シリコーン系等のコーキング材（不図示）を付着させて、図１０（ａ），（ｂ）に示すように，枠材２の支持片２ｂと被覆片２ｃとの間に底板１の端縁を挿入する。そして、図１０（ｂ），図３に示すように、枠材２の支持片２ｂのビス挿通孔を通して下方からビス６を底板１の端縁にねじ込むことにより、底板１のコーナー部を除いた三辺の端縁に枠材２を水密的に取付け固定する。
【００３２】
枠材２の取付けが終わると、コーナー部材３の直角に折れ曲がった壁板部３ａの下部内側面に上記と同じコーキング材（不図示）を付着させ、図１０（ｂ），（ｃ）に示すように、底板１のコーナー部においてコーナー部材３を双方の枠材２の端部間に配置し、コーナー部材３の両端の枠材接続部３ｂを双方の枠材２の壁板部２ａの端縁に内側から重ねると共に、枠材接続部３ｂ上端の係止耳部３ｆを枠材２の上端に係止させる。このようにすると、双方の枠材２の壁板部２ａとコーナー部材３の直角の壁板部３ａが同じ高さで、且つ、段差なく面一に連なった状態で、双方の枠材２を連結することができる。そして、コーナー部材３のビス挿通孔３ｄを通してビス６を外側から底板１のコーナー部にねじ込むことにより、底板１の二つのコーナー部にコーナー部材３を水密的に取付け固定する。
【００３３】
そして、縁材４を底板１の残りの一辺に重ねて配置し、その縦板部４ａのビス挿通孔４ｃからビス６を底板１の端面にねじ込んで縁材４を取付け固定すると、玄関パンが完成する。尚、縁材４の取付けは、底板１の三辺に枠材２を取付ける前に行ってもよく、また、枠材２を取付けた後、コーナー部材３を取付ける前に行ってもよい。
【００３４】
上記の要領で組立てられた本発明の玄関パンは、図１１、図１２に示すように玄関の木枠７の内側に嵌め込まれて下地材８の上に設置され、更に、玄関パンの枠材２の上部を覆う断面Ｌ形の化粧用枠９が木枠７に取付けられて、施工が完了する。
【００３５】
このように、本発明の組立式の玄関パンは、熟練した職人でなくても上記の要領で簡単に組立、施工できるため、職人の技量によって仕上がりの程度が左右される心配がなく、しかも、底板１の縦横寸法、枠材２や縁材４の長さ寸法を変更することによって、間口や奥行きが種々異なる玄関に合致する大きさの玄関パンを組立てることができるので、規格外の玄関への対応が容易である。
【００３６】
また、基板１ａの表面に化粧シート１ｂが貼着された底板１を用いるため、この玄関パンは外観が良好で見た目に美しく、安っぽい印象を与えることもない。そして、この化粧シート１ｂの表面に無数に形成された防滑用凸部１ｃによって良好な滑止め作用が発揮されるため、滑って転倒する危険性が大幅に減少する。また、この化粧シート１ａの表面に水がこぼれても、排水溝の役目をする溝部１ｄに流れ込んで化粧シート１の表面に水が溜まらないため、滑止め効果が一層顕著になり、このように水がこぼれても、底板１の端縁と枠材２との隙間に充填されたコーキング材（不図示）によって、水が漏れ出すこともない。
【００３７】
【発明の効果】
以上の説明から明らかなように、本発明の玄関パンは、職人の技量に左右されることなく簡単に組立、施工でき、寸法的な自由度があるため規格外の玄関への対応が容易であり、外観が良好で安っぽい印象を受けることがなく、滑って転倒する危険性や漏水の心配もない等、多くの顕著な効果を奏する。
【図面の簡単な説明】
【図１】本発明の一実施形態に係る玄関パンの平面図である。
【図２】同玄関パンの拡大正面図である。
【図３】図１のＡ−Ａ線拡大断面図である。
【図４】図１のＢ−Ｂ線拡大断面図である。
【図５】同玄関パンの分解斜視図である。
【図６】同玄関パンの枠材の断面図である。
【図７】同玄関パンのコーナー部材の平面図である。
【図８】図７のＣ−Ｃ線断面図である。
【図９】図７のＤ−Ｄ線断面図である。
【図１０】同玄関パンの組立手順の説明図である。
【図１１】同玄関パンの納まり図である。
【図１２】図１１のＥ−Ｅ線断面図である。
【符号の説明】
１  底板
１ａ  基板
１ｂ  化粧シート
１ｃ  防滑用凸部
１ｄ  溝部
２  枠材
２ｂ  支持片
２ｃ  被覆片
２ｄ  ビス挿通孔
３  コーナー部材
３ａ  直角に折れ曲がった壁板部
３ｂ  枠材接続部
３ｃ  被覆片
３ｄ  ビス挿通孔
４  縁材
５  敷板
６  ビス
【図１】
0003902486.tif 000002
【図２】
0003902486.tif 000003
【図３】
0003902486.tif 000004
【図４】
0003902486.tif 000005
【図５】
0003902486.tif 000006
【図６】
0003902486.tif 000007
【図７】
0003902486.tif 000008
【図８】
0003902486.tif 000009
【図９】
0003902486.tif 000010
【図１０】
0003902486.tif 000011
【図１１】
0003902486.tif 000012
【図１２】
0003902486.tif 000013